(57)【特許請求の範囲】
【請求項１】
振動低減構造を有する圧送ダイアフラムポンプであって、前記圧送ダイアフラムポンプは：
出力シャフトを有するモーター；モーターハウジングに固定されたポンプヘッドボディ；ポンプヘッドボディ下部に設けられた偏心円形取付部、およびポンプヘッドボディの操作孔を貫通して延びる複数の偏心円形部材；操作孔を介して偏心円形部材に固定され、ポンプヘッドボディの上部に設けられるダイアフラム膜；および、ダイアフラム膜の動きに応じてポンプ動作を行うように設けられた複数のポンプピストンを有し；
ポンプヘッドボディは、ポンプヘッドボディの上部の各操作孔において、少なくとも１つの第１振動低減位置決め構造を有し；および
ダイアフラム膜は、少なくとも１つの第２振動低減位置決め構造を、ポンプヘッドボディの前記少なくとも１つの第１振動低減位置決め構造の位置に対応する、ダイアフラム膜の各位置に有し、
前記少なくとも１つの第１振動低減位置決め構造は、対応する前記少なくとも１つの第２振動低減位置決め構造と嵌合し、ダイアフラム膜の動きによるポンプ動作中に第１振動低減位置決め構造と第２振動低減位置決め構造の周囲の間に延びるモーメントアームが生じ、前記ポンプ動作中のトルクを小さくし、振動強度、および振動音を低減する、
振動低減構造を有し、
前記モーターは、出力シャフトを有し、前記圧送ダイアフラムポンプはさらに、凸カムシャフトが一体となったワッブルプレートと、ピストンバルブ組立体を含む、前記振動低減構造を有する圧送ダイアフラムポンプであって：
前記モーターの前記出力シャフトは、前記ワッブルプレートの軸継手孔を貫通して延びて、前記ワッブルプレートを回転させ；
前記ワッブルプレートの前記一体となった凸カムシャフトは、前記偏心円形取付部の中央ベアリングを貫通して延び；
前記偏心円形取付部は、偏心円形取付部の周囲に等間隔に設けられた複数の前記偏心円形部材を有し、そこでの前記ワッブルプレートの回転により、最上面と最上面に形成された締結孔を有する各偏心円形部材は連続的な上下運動を行い；
前記ポンプヘッドボディは、前記モーターの上部シャーシに固定され、ワッブルプレートと偏心円形取付部を内部に囲み、前記ポンプヘッドボディは、前記複数の偏心円形部材の位置に対応する位置に設けられた複数の前記操作孔を有し、各操作孔は、対応する１つの前記偏心円形部材の外径よりも僅かに大きい内径を有し、各対応する偏心円形部材の１つを受け入れ；
前記ダイアフラム膜は、半硬質弾性材から作成され、ポンプヘッドボディに配置され、前記ダイアフラム膜は、少なくとも１つの突起リムと、少なくとも１つの突起ブリムに接続され３つの等価のピストン作動ゾーンを形成する等間隔に配置された複数の放射状突起隔壁リブとを有し、各ピストン作動ゾーンは、１つの対応する偏心円形部材の締結孔に対応する位置の内側に形成された作動ゾーン孔を有し；
各ポンプピストンは、段付き孔を有し、締結部材は、各ポンプピストンの段付き孔を貫通し、ダイアフラム膜の対応する各ピストン作動ゾーンの作動ゾーン孔を貫通し、各偏心円形部材の各締結孔に延び、ダイアフラム膜と各ポンプピストンを、偏心円形取付部の対応する偏心円形部材に固定し；
ダイアフラム膜を覆い、封止係合により円周状にダイアフラム膜に固定される前記ピストン弁組立体は、中央位置決め孔と複数の等価のセクタを有する中央アウトレット取付部とを含み、前記中央アウトレット取付部は、等間隔で円周状に配置した複数のアウトレットポートと、中央位置決めシャンクを備えたＴ字型プラスチック反逆流弁と、複数の円周状のインレット取付部とを含み、各インレット取付部は、等間隔で円周状に配置した複数のインレット取付部と、各インレット取付部に取り付けた逆向き中央ピストンディスクを有するので、各ピストンディスクは、複数のインレットポートの、それぞれの対応する群の弁としての役割を果たし、中央円形アウトレット取付部の前記複数のアウトレットポートが複数のインレット取付部に連通するように、プラスチック反逆流弁の中央位置決めシャンクが、中央アウトレット取付部の中央位置決め孔に嵌合し、予備水圧チャンバの一端部が対応する前記インレットポートに連通するように、ダイアフラム膜がピストン弁組立体に円周状に固定されると、密閉した予備水圧チャンバが各インレット取付部、およびダイアフラム膜の対応するピストン作動ゾーンに形成され；
ポンプヘッドボディを覆い、ピストン弁組立体と、ポンプピストンと、ダイアフラム膜と、を内部に囲む前記ポンプヘッドカバーは、水インレットオリフィス、および水アウトレットオリフィスを含み、前記ポンプヘッドカバーは、ダイアフラム膜の組立体、およびピストン弁組立体に密封して取り付けられ、高圧力が掛けられた水チャンバは、環状リブリングの内壁によって形成される空洞部と、ピストン弁組立体の中央アウトレット取付部の間に設定され；
前記少なくとも１つの第１振動低減位置決め構造は、少なくとも１つの、基本曲線溝部と、曲線スロットと、曲線開口部のセットと、曲線凸部と、曲線凸部のセットとを有し、ポンプヘッドボディの各操作孔の上部の周囲に、さらに円周状に設けられ；および、
前記少なくとも１つの第２振動低減位置決め構造は、１つの、基本曲線凸部と、曲線凸部のセットと、曲線溝部と、曲線スロットと、曲線開口部とのセットを有し、ポンプヘッドボディの各第１振動低減位置決め構造の位置に対応する位置のダイアフラム膜の底部にある各同心環状位置決め凸部の周囲に円周状にさらに配置され、ポンプヘッドボディとダイアフラム膜が組み合わされることによって、ダイアフラム膜底部の各第２振動低減位置決め構造は、ポンプヘッドボディの上部の対応する各第１振動低減位置決め構造と嵌合し、ピストンの上下運動に応えるダイアフラム膜の動きによって生じたモーメントアームが、第１振動低減構造と第２振動低減構造の周囲の間に延びるので、前記ダイアフラム膜の動きによる振動を低減する、
振動低減構造を有する圧送ダイアフラムポンプ。
【請求項２】
請求項１に記載の振動低減構造を有する圧送ダイアフラムポンプあって、前記各第１振動低減位置決め構造は、ポンプヘッドボディの曲線溝部であり、前記各第２振動低減位置決め構造は、ダイアフラム膜から延びる曲線凸部である、振動低減構造を有する圧送ダイアフラムポンプ。
【請求項３】
請求項１に記載の振動低減構造を有する圧送ダイアフラムポンプあって、前記各第１振動低減位置決め構造は、ポンプヘッドボディの曲線スロットであり、前記各第２振動低減位置決め構造は、ダイアフラム膜から延びる曲線凸部である、振動低減構造を有する圧送ダイアフラムポンプ。
【請求項４】
請求項１に記載の振動低減構造を有する圧送ダイアフラムポンプあって、前記各第１振動低減位置決め構造は、ポンプヘッドボディの曲線開口部のセットであり、前記各第２振動低減位置決め構造は、ダイアフラム膜から延びる曲線凸部のセットである、振動低減構造を有する圧送ダイアフラムポンプ。
【請求項５】
請求項１に記載の振動低減構造を有する圧送ダイアフラムポンプあって、前記各第１振動低減位置決め構造は、ポンプヘッドボディから延びる曲線凸部であり、前記各第２振動低減位置決め構造は、ダイアフラム膜の曲線溝部である、振動低減構造を有する圧送ダイアフラムポンプ。
【請求項６】
請求項１に記載の振動低減構造を有する圧送ダイアフラムポンプあって、前記各第１振動低減位置決め構造は、ポンプヘッドボディから延びる曲線凸部であり、前記各第２振動低減位置決め構造は、ダイアフラム膜の曲線スロットである、振動低減構造を有する圧送ダイアフラムポンプ。
【請求項７】
請求項１に記載の振動低減構造を有する圧送ダイアフラムポンプあって、前記各第１振動低減位置決め構造は、ポンプヘッドボディから延びる曲線凸部のセットであり、前記各第２振動低減位置決め構造は、ダイアフラム膜の曲線開口部のセットである、振動低減構造を有する圧送ダイアフラムポンプ。
【請求項８】
請求項７に記載の振動低減構造を有する圧送ダイアフラムポンプあって、前記凸部は円形凸部である、振動低減構造を有する圧送ダイアフラムポンプ。
【請求項９】
請求項７に記載の振動低減構造を有する圧送ダイアフラムポンプあって、前記凸部は四角形凸部である、振動低減構造を有する圧送ダイアフラムポンプ。
【請求項１０】
請求項１に記載の振動低減構造を有する圧送ダイアフラムポンプあって、前記各第１振動低減位置決め構造は、ポンプヘッドボディの一対の曲線溝部またはスロットであり、前記各第２振動低減位置決め構造は、ダイアフラム膜から延びる一対の曲線凸部である、振動低減構造を有する圧送ダイアフラムポンプ。
【請求項１１】
請求項１に記載の振動低減構造を有する圧送ダイアフラムポンプあって、前記各第１振動低減位置決め構造は、ポンプヘッドボディから延びる一対の曲線凸部であり、前記各第２振動低減位置決め構造は、ダイアフラム膜の一対の曲線溝部またはスロットである、振動低減構造を有する圧送ダイアフラムポンプ。
【請求項１２】
請求項１１に記載の振動低減構造を有する圧送ダイアフラムポンプあって、前記凸部は円形凸部である、振動低減構造を有する圧送ダイアフラムポンプ。
【請求項１３】
請求項１１に記載の振動低減構造を有する圧送ダイアフラムポンプあって、前記凸部は円形凸部である、振動低減構造を有する圧送ダイアフラムポンプ。
【請求項１４】
請求項１１に記載の振動低減構造を有する圧送ダイアフラムポンプあって、前記各第１振動低減位置決め構造は、ポンプヘッドボディの凹リングであり、前記各第２振動低減位置決め構造は、ダイアフラム膜から突出するリング構造である、振動低減構造を有する圧送ダイアフラムポンプ。
【請求項１５】
請求項１に記載の振動低減構造を有する圧送ダイアフラムポンプあって、前記各第１振動低減位置決め構造は、ポンプヘッドボディの一対の凹リングであり、前記各第２振動低減位置決め構造は、ダイアフラム膜から突出する一対のリング構造である、振動低減構造を有する圧送ダイアフラムポンプ。
【請求項１６】
請求項１に記載の振動低減構造を有する圧送ダイアフラムポンプあって、前記各偏心円形部材は、前記締結孔の周囲に延びる環状溝部をさらに含み、前記ポンプヘッドボディは、前記ポンプヘッドボディが前記偏心円形部材に締結されたときに、前記対応する環状溝部にまで延びる複数の下部環状フランジをさらに含む、振動低減構造を有する圧送ダイアフラムポンプ。
【請求項１７】
請求項１に記載の振動低減構造を有する圧送ダイアフラムポンプあって、前記ダイアフラム膜の前記少なくとも１つの突起リムは、内部突起リムであり、前記ダイアフラム膜は、並列外部突起リムを含み、前記ピストン弁組立体は、下向きに延びる突起リムを含み、前記ピストン弁組立体の前記下向きに延びる突起リムは、前記ダイアフラム膜の前記内部および外部突起リム間に延びて、前記ダイアフラム膜が前記ピストン弁組立体に円周状に固定されると円周状に封止する、振動低減構造を有する圧送ダイアフラムポンプ。
【請求項１８】
請求項１に記載の振動低減構造を有する圧送ダイアフラムポンプあって、前記偏心円形部材、前記ポンプヘッドボディの前記操作孔、前記ピストン作動ゾーン、および前記ポンプピストンの数がそれぞれ３である、振動低減構造を有する圧送ダイアフラムポンプ
【請求項１９】
請求項１に記載の振動低減構造を有する圧送ダイアフラムポンプあって、前記円周状のインレット取付部の数が３である、振動低減構造を有する圧送ダイアフラムポンプ。
【請求項２０】
請求項１に記載の振動低減構造を有する圧送ダイアフラムポンプあって、前記偏心円形部材の前記締結孔がネジ山付き孔であり、前記締結部材がネジである、振動低減構造を有する圧送ダイアフラムポンプ。
【請求項２１】
請求項１に記載の振動低減構造を有する圧送ダイアフラムポンプあって、前記空洞は、ポンプヘッドカバーの環状リブリングの底部が、ピストン弁組立体の中央アウトレット取付部のリムに押圧されることにより形成される、振動低減構造を有する圧送ダイアフラムポンプ。
【請求項２２】
請求項１に記載の振動低減構造を有する圧送ダイアフラムポンプあって、前記各第１振動低減位置決め構造は、ポンプヘッドボディの曲線溝部であり、前記各第２振動低減位置決め構造は、ダイアフラム膜から延びる曲線凸部である、振動低減構造を有する圧送ダイアフラムポンプ。
【請求項２３】
請求項１に記載の振動低減構造を有する圧送ダイアフラムポンプあって、前記各第１振動低減位置決め構造は、ポンプヘッドボディの曲線スロットであり、前記各第２振動低減位置決め構造は、ダイアフラム膜から延びる曲線凸部である、振動低減構造を有する圧送ダイアフラムポンプ。
【請求項２４】
請求項１に記載の振動低減構造を有する圧送ダイアフラムポンプあって、前記各第１振動低減位置決め構造は、ポンプヘッドボディの曲線開口部のセットであり、前記各第２振動低減位置決め構造は、ダイアフラム膜から延びる曲線凸部のセットである、振動低減構造を有する圧送ダイアフラムポンプ。
【請求項２５】
請求項１に記載の振動低減構造を有する圧送ダイアフラムポンプあって、前記各第１振動低減位置決め構造は、ポンプヘッドボディから延びる曲線凸部であり、前記各第２振動低減位置決め構造は、ダイアフラム膜の曲線溝部である、振動低減構造を有する圧送ダイアフラムポンプ。
【請求項２６】
請求項１に記載の振動低減構造を有する圧送ダイアフラムポンプあって、前記各第１振動低減位置決め構造は、ポンプヘッドボディから延びる曲線凸部であり、前記各第２振動低減位置決め構造は、ダイアフラム膜の曲線スロットである、振動低減構造を有する圧送ダイアフラムポンプ。
【請求項２７】
請求項１に記載の振動低減構造を有する圧送ダイアフラムポンプあって、前記各第１振動低減位置決め構造は、ポンプヘッドボディから延びる曲線凸部のセットであり、前記各第２振動低減位置決め構造は、ダイアフラム膜の曲線開口部のセットである、振動低減構造を有する圧送ダイアフラムポンプ。
【請求項２８】
請求項１に記載の振動低減構造を有する圧送ダイアフラムポンプあって、前記各第１振動低減位置決め構造は、ポンプヘッドボディの一対の曲線溝部またはスロットであり、前記各第２振動低減位置決め構造は、ダイアフラム膜から延びる一対の曲線凸部である、振動低減構造を有する圧送ダイアフラムポンプ。
【請求項２９】
請求項１に記載の振動低減構造を有する圧送ダイアフラムポンプあって、前記各第１振動低減位置決め構造は、ポンプヘッドボディから延びる一対の曲線凸部であり、前記各第２振動低減位置決め構造は、ダイアフラム膜の一対の曲線溝部またはスロットである、振動低減構造を有する圧送ダイアフラムポンプ。
【請求項３０】
請求項１に記載の振動低減構造を有する圧送ダイアフラムポンプあって、前記各第１振動低減位置決め構造は、ポンプヘッドボディの凹リングであり、前記各第２振動低減位置決め構造は、ダイアフラム膜から突出するリング構造である、振動低減構造を有する圧送ダイアフラムポンプ。
【請求項３１】
請求項１に記載の振動低減構造を有する圧送ダイアフラムポンプあって、前記各第１振動低減位置決め構造は、ポンプヘッドボディの一対の凹リングであり、前記各第２振動低減位置決め構造は、ダイアフラム膜から突出する一対のリング構造である、振動低減構造を有する圧送ダイアフラムポンプ。
【請求項３２】
請求項１に記載の振動低減構造を有する圧送ダイアフラムポンプあって、前記モーターがブラシ付モーターである、振動低減構造を有する圧送ダイアフラムポンプ。
【請求項３３】
請求項１に記載の振動低減構造を有する圧送ダイアフラムポンプあって、前記モーターがブラシレスモーターである、振動低減構造を有する圧送ダイアフラムポンプ。
【発明の詳細な説明】
【技術分野】
【０００１】
本発明は、逆浸透浄化システムで使用するダイアフラムポンプが圧送する際の振動低減構造に関し、より具体的には、ポンプの振動強度を低減する構造に関し、この構造を逆浸透浄化システムのハウジングに取り付けることによって、逆浸透浄化システムのハウジングの共振によって引き起こされる不快な騒音を解消する。
【背景技術】
【０００２】
従来の逆浸透清浄器または逆浸透浄水システム専用の圧送ダイアフラムポンプは、「特許文献１」〜「特許文献１６」に開示されている。図１〜９に示す従来の圧送ダイアフラムポンプは実質的に、出力シャフト１１を備えたブラシ付きモーター１０、モーター上部シャーシ３０、凸カムシャフトが一体となったワッブルプレート４０、偏心円形取付部５０、ポンプヘッドボディ６０、ダイアフラム膜７０、３つのポンプピストン８０、ピストン弁組立体９０、およびポンプヘッドカバー２０を有する。
【０００３】
モーター上部シャーシ３０は、ベアリング３１を有し、そこをモーター１０の出力シャフト１１が貫通して延びる。モーター上部シャーシ３０はさらに、上部環状リブリング３２を有し、上部環状リブリング３２のリムに円周状かつ等間隔にいくつかの締結孔３３が設けられている。
【０００４】
ワッブルプレート４０は、シャフト結合孔４１を含み、そこを対応するモーター１０のモーター出力シャフト１１が貫通して延びる。
【０００５】
偏心円形取付部５０は、底部に中央ベアリング５１を有し、対応するワッブルプレート４０の一体となった突出カムシャフトを受け入れ、その上には３つの偏心円形部材５２が円周状かつ等間隔に設けられている。各偏心円形部材５２は、ネジ山付き孔５４、および水平平面の最上面５３に形成された環状位置決め溝部５５を有する。
【０００６】
ポンプヘッドボディ６０は、モーター上部シャーシ３０の上部環状リブリング３２を覆い、一体的な凸カムシャフトを備えるワッブルプレート４０と、偏心円形取付部５０を内部に囲み、円周状に等間隔に設けられた３つの操作孔６１を内部に有する。各操作孔６１は、対応する各偏心円形部材５２を受け入れるため、偏心円形取付部５０の偏心円形部材５２の外径よりも、わずかに大きい内径と、モーター上部シャーシ３０の対応する上部環状リブリング３２と嵌合する、操作孔の下部に形成された下部環状フランジ６２と、ポンプヘッドボディ６０に円周状かつ等間隔に設けられたいくつかの締結孔６３を有する。
【０００７】
半硬質弾性材から押出し成型され、ポンプヘッドボディ６０の上に配置されるダイアフラム膜７０は、一対の並列する外部突起リム７１と内部突起リム７２、および３つの等間隔に配置された放射状突起隔壁リブ７３を含み、各放射状突起隔壁リブ７３の各端部はシーリング突起リム７１に接続する。ダイアフラム膜７０はさらに、放射状突起隔壁リブ７３により形成および分割された、３つの等価のピストン作動ゾーン７４を含み、各ピストン作動ゾーン７４は、偏心円形取付部５０の各ネジ山付き孔５４に対応する作動ゾーン孔７５を有し、各作動ゾーン孔７５の環状位置決め凸部７６が、ダイアフラム膜７０（図７，８参照）の底部に形成されている。
【０００８】
各ポンプピストン８０は、ダイアフラム膜７０の対応する各ピストン作動ゾーン７４に形成される。各ポンプピストン８０は、貫通して延びる段付き孔８１を有する。ダイアフラム膜７０の環状位置決め凸部７６を、偏心円形取付部５０の偏心円形部材５２の対応する環状位置決め溝部５５に挿入した後、各締結ネジ１を、各ポンプピストン８０の段付き孔８１、およびダイアフラム膜７０の各対応するピストン作動ゾーン７４の作動ゾーン孔７４を通して挿入することによって、ダイアフラム膜７０、および３つのポンプピストン８０は、偏心円形取付部５０の対応する３つの偏心円形部材５２のネジ山付き孔５４に確実に固定できる（図９の拡大図を参照）。
【０００９】
ダイアフラム膜７０を適切に上から覆う前記ピストン弁組立体９０は、ダイアフラム膜７０の外部突起リム７１と内部突起リム７２の間に挿入され下方に伸びる突起リム９１と、３つの等価のセクタが設けられ、中央位置決め孔９３を有する中央円形アウトレット取付部９２とを有し、前記各中央円形アウトレット取付部９２は、円周状に等間隔に配置された複数のアウトレットポート９５，中央位置決めシャンクが備えられたＴ字型プラスチック反逆流弁９４、および３つの円周状に隣接するインレット取付部９６を有し、前記各インレット取付部９６は、円周状に等間隔に配置された複数のインレットポート９７と逆向き中央ピストンディスク９８を有し、それによって、各ピストンディスク９８は、複数の対応するインレットポート９７の対応する群の弁としての役割を果たし、プラスチック反逆流弁９４の中央位置決めシャンクは、中央円形アウトレット取付部９２の複数のアウトレットポート９５が、３つのインレット取付部９６に連通するように、中央アウトレット取付部９２の中央位置決め孔９３に嵌合し、下方に伸びる突起リム９１を、ダイアフラム膜７０の外部突起リム７１と内部突起リム７２の間に、各予備水圧チャンバ２６の一端が、対応する各インレットポート９７に連通するように挿入し、密閉した予備水圧チャンバ２６を、各インレット取付部９６、およびダイアフラム膜７０の対応するピストン作動ゾーン７４に形成する（図９の拡大図参照）。
【００１０】
ポンプヘッドボディ６０を覆い、ピストン弁組立体９０，ポンプピストン８０，およびダイアフラム膜７０を内部に囲むポンプヘッドカバー２０は、水インレットオリフィス２１、水アウトレットオリフィス２２，および、いくつかの締結孔２３を含む。段付きリム２４および環状リブリング２５は、ダイアフラム膜７０の組立体の外側リム、およびピストン弁組立体９０が密封され、段付きリム２４に取り付けられるようポンプヘッドカバー２０の底部内側に設けられる（図９の拡大図参照）。高圧水チャンバ２７は、中央アウトレット取付部９２の縁部に設けられた環状リブリング２５の底部を押圧することによって、環状リブリング２５の内壁により形成される空洞と、ピストン弁組立体９０の中央アウトレット取付部９２の間に形成される（図９参照）。
【００１１】
各締結ボルト２を、ポンプヘッドカバー２０の対応する各締結孔２３と、ポンプヘッドボディ６０の各締結孔６３に通し、ナット３を各締結ボルト２に配置して、ポンプヘッドカバー２０とポンプヘッドボディ６０をモーター上部シャーシ３０の各対応する締結孔３３を介して、モーター上部シャーシ３０にネジ止め固定し、従来の圧送ダイアフラムポンプの全体の組立は完成する（図１および９参照）。
【００１２】
図１０および１１は、図１〜９の従来の圧送ダイアフラムポンプの実用的な動作モードを例証する図である。
【００１３】
最初に、モーター１０に電源が入ると、ワッブルプレート４０がモーター出力シャフト１１により回転駆動し、偏心円形取付部５０の３つの偏心円形部材５２が、連続的に絶え間なく、上下の往復ストローク動作を行う。
【００１４】
２番目に、３つのポンプピストン８０と、ダイアフラム膜７０の３つのピストン作動ゾーン７４がその間に、３つの偏心円形部材５２の上下往復ストローク動作によって連続的に駆動し、上下に変位動作する。
【００１５】
３番目に、偏心円形部材５２が下方にストローク動作して、ポンプピストン８０およびピストン作動ゾーン７４が下方に変位移動すると、ピストン弁組立体９０のピストンディスク９８が押されて開状態になるので、水道水Ｗが、ポンプヘッドカバー２０の水インレットオリフィス２１、およびピストン弁組立体９０のインレットポート９７を介して、予備水圧チャンバ２６に流入することができる（図１０の拡大図のＷから伸びる矢印を参照）。
【００１６】
４番目に、偏心円形部材５２が上方にストローク動作して、ポンプピストン８０およびピストン作動ゾーン７４が下方に変位移動すると、ピストン弁組立体９０のピストンディスク９６は、引っ張られて閉状態になるので、予備水圧チャンバ２６内の水道水Ｗを圧縮し、その内部の水圧を８０〜１００ｐｓｉの範囲にまで引き上げる。圧力を受けた加圧水Ｗｐは、ピストン弁組立体９０のプラスチック反逆流弁９４を押して、開状態にする。
【００１７】
５番目に、ピストン弁組立体９０のプラスチック反逆流弁９４が押されて開状態になると、予備水圧チャンバ２６の加圧水Ｗｐは、中央アウトレット取付部９２内の対応するセクタのアウトレットポート９５の群を経由して、高圧水チャンバ２７に向けられ、ポンプヘッドカバー２０の水アウトレットオリフィス２２から放出される（図１１の矢印ＷＰ参照）。
【００１８】
最後に、中央アウトレット取付部９２の３つのセクタのアウトレットポート９５の各群の規則的な反復動作により、加圧水Ｗｐは、従来の圧送ダイアフラムポンプから、逆浸透膜カートリッジにより、さらに逆浸透膜ろ過された水が排出され、それによって、最終的にろ過された加圧水Ｗｐを、逆浸透膜浄水装置に使用可能となる。
【００１９】
図１２〜１４は、上記従来の圧送ダイアフラムポンプに長時間、振動が加えられたことによる重大な欠点を示す。前述の通り、モーター１０に電源が入ると、ワッブルプレート４０がモーター出力シャフト１１により回転駆動し、偏心円形取付部５０の３つの偏心円形部材５２が、連続的に絶え間なくに上下の往復ストローク動作を行い、その間、３つのポンプピストン８０と、ダイアフラム膜７０の３つのピストン作動ゾーン７４が、３つの偏心円形部材５２の上下往復ストローク動作によって連続的に駆動し、上下に変位動作し、等価な力Ｆが、外部突起リム７１から環状位置決め凸部７６の周囲まで、モーメントアームＬ１の長さで３つのピストン作用ゾーン７４に絶えず作用する（図１３参照）。したがって、合成トルクは作用力ＦをモーメントアームＬ１の長さで乗算する、「トルク＝作用力Ｆ  Ｘ  モーメントアームＬ１の長さ」の数式を用いて導き出せる。合成トルクによって、従来の圧送ダイアフラムポンプの全体が、直接的に振動を受ける。モーター１０のモーター出力シャフト１１の最大７００〜１，２００  ｒｐｍの高速回転により、３つの偏心円形部材５２の順番動作によって引き起こされる振動強度は、持続的な受け入れ不能な段階に達し得る。
【００２０】
従来の圧送ダイアフラムポンプの直接的な振動に対処するため、図１４に示すように、一対のウイングプレート１０１を備えたクッション基部１００が補足の支持体として常に提供されている。各ウイングプレート１０１はさらに、振動低減効果を強化するため、袖部にゴム緩衝部材１０２が設けられている。従来の圧送ダイアフラムポンプの設置時に、クッション基部１００は、適切な締結ネジ１０３、および、それに対応するナット１０４を使用して、逆浸透浄化ユニットのハウジングＣにしっかりとネジ止め固定される。しかし、前述のクッション基部１００をウイングプレート１０１とゴム緩衝部材１０２と一緒に使用した場合の実際的な振動抑制効果は、直接的な一次振動に対応するのみで、直接的な一次振動は、ハウジングＣが共振する二次振動を引き起こすため、全体的な振動抑制は限定的である。この共振によって、逆浸透浄化ユニットのハウジングＣに発生する全振動音が、一層大きくなる。
【００２１】
ハウジングＣに発生する全振動音が大きくなるという欠点に加えて、ポンプヘッドカバー２０の水アウトレットオリフィス２２に接続される送水管Ｐが、一次振動に共振して同期的に振動するという欠点が発生する（図１４の隠れ線参照）。この送水管Ｐの同期的振動は、従来の圧送ダイアフラムポンプの他の部位も同時に振動させるという、さらなる欠点が発生し得る。結果として、一定期間の経過後、送水管Ｐと水アウトレットオリフィス２２間の接続部が徐々に緩み、他の部位同士の結合も振動により徐々に緩むことによって、従来の圧送ダイアフラムポンプから水漏れが発生する。
【００２２】
従来の圧送ダイアフラムポンプの、さらなる欠点である全体に及ぶ共振および水漏れは、前述の一次振動に対処する従来の方法では解決できない。圧送ダイアフラムポンプの動作振動による欠点を全面に渡って実質的に低減する方法は、緊急かつ重大な課題である。
【特許文献１】米国特許番号４３９６３５７
【特許文献２】米国特許番号４６１０６０５
【特許文献３】米国特許番号５４７６３６７
【特許文献４】米国特許番号５５７１０００
【特許文献５】米国特許番号５６１５５９７
【特許文献６】米国特許番号５６２６４６４
【特許文献７】米国特許番号５６４９８１２
【特許文献８】米国特許番号５７０６７１５
【特許文献９】米国特許番号５７９１８８２
【特許文献１０】米国特許番号５８１６１３３
【特許文献１１】米国特許番号６０４８１８３
【特許文献１２】米国特許番号６０８９８３８
【特許文献１３】米国特許番号６２９９４１４
【特許文献１４】米国特許番号６６０４９０９
【特許文献１５】米国特許番号６８４０７４５
【特許文献１６】米国特許番号６８９２６２４
【発明の概要】
【００２３】
本発明の目的は、ポンプヘッドボディおよびダイアフラム膜を用いて、圧送ダイアフラムポンプの振動低減構造を提供することであって、ポンプヘッドボディは、３つの操作孔、および少なくとも１つの基本曲線溝、スロット、有孔セグメント、または曲線凸部、あるいは凸部のセットを有し、各操作孔の上部の少なくとも一部の周囲に円周状に設けられ、ダイアフラム膜は、３つの等価のピストン作動ゾーンを有し、各ピストン作動ゾーンは、作動ゾーン孔、各作動ゾーン孔用の環状位置決め凸部、および少なくとも１つの基本曲線凸部、または凸部のセット、あるいは、溝部、スロットまたは、有孔セグメントを有し、これらは、ポンプヘッドボディの各嵌合する基本曲線溝の位置に対応する位置の各同心環状位置決め凸部の周囲に円周状に、少なくとも部分的に設けられ、それによって、３つの基本曲線凸部は、対応する３つの基本曲線溝、スロット、または有孔セグメントに、距離の短いモーメントアームで完全に挿入されるので、不都合なトルク（モーメントアームの長さを定常作用力と乗算して得られる）の振動は抑えられる。トルクが小さいと、圧送ダイアフラムポンプの振動強度は著しく低下する。
【００２４】
本発明の別の目的は、少なくとも３つの基本曲線溝、スロット、または有孔セグメント、あるいは曲線凸部を備えたポンプヘッドボディ、および３つの基本曲線凸部、または曲線溝、スロット、あるいは有孔セグメントを備えたダイアフラム膜を有する、圧送ダイアフラムポンプの振動低減構造を提供することであって、３つの基本曲線凸部を、対応する３つの基本曲線溝、スロット、または有孔セグメントに完全に挿入し、モーメントアームの距離を短くして、トルク（モーメントアームの距離に、定常作用力を乗算する）による振動を低減させる。トルクが小さいと、圧送ダイアフラムポンプの振動強度は著しく低下する。本発明を逆浸透浄化ユニットに、従来のクッション基部を、ゴム緩衝部材を装着して取り付けると、従来の圧送ダイアフラムポンプの共振により生じる不快な騒音が完全に解消される。
【図面の簡単な説明】
【００２５】
【図１】従来の圧送ダイアフラムポンプの組立斜視図である。
【図２】従来の圧送ダイアフラムポンプの分解斜視図である。
【図３】従来の圧送ダイアフラムポンプのポンプヘッドボディの斜視図である。
【図４】図３の切断線４−４における断面図である。
【図５】従来の圧送ダイアフラムポンプのポンプヘッドボディの上面図である。
【図６】従来の圧送ダイアフラムポンプのダイアフラム膜の斜視図である。
【図７】図６の切断線７−７における断面図である。
【図８】従来の圧送ダイアフラムポンプのダイアフラム膜の底面図である。
【図９】図１の切断線９−９における断面図である。
【図１０】従来の圧送ダイアフラムポンプの第１動作を例証する図である。
【図１１】従来の圧送ダイアフラムポンプの第２動作を例証する図である。
【図１２】従来の圧送ダイアフラムポンプの第３動作を例証した図と、円で囲んだ一部分を拡大した図である。
【図１３】図１２の拡大図の円で囲んだ一部分である“ａ”の部分拡大図である。
【図１４】逆浸透浄化システムの取付基部に取り付けられた従来の圧送ダイアフラムポンプの側面の概略図である。
【図１４Ａ】図１４の取付基部に取り付けられた従来の圧送ダイアフラムポンプの端部の概略図である。
【図１５】本発明による第１実施形態における分解斜視図である。
【図１６】本発明による第１実施形態におけるポンプヘッドボディの斜視図である。
【図１７】図１６の切断線１７−１７における断面図である。
【図１８】本発明による第１実施形態におけるポンプヘッドボディの上面図である。
【図１９】本発明による第１実施形態におけるダイアフラム膜の斜視図である。
【図２０】図１９の切断線２０−２０における断面図である。
【図２１】本発明による第１実施形態におけるダイアフラム膜の底面図である。
【図２２】本発明による第１実施形態における組立断面図である。
【図２３】本発明による第１実施形態における動作を例証する図と、円で囲んだ一部分を拡大した図である。
【図２４】図２３の拡大図の円で囲んだ一部分である“ａ”の部分拡大図である。
【図２５】本発明による第１実施形態における別のポンプヘッドボディの斜視図である。
【図２６】図２５の切断線２６−２６における断面図である。
【図２７】本発明による第１実施形態における別のポンプヘッドボディおよび分離したダイアフラム膜の断面図である。
【図２８】図２７のポンプヘッドボディとダイアフラム膜の組み合わせの断面図である。
【図２９】本発明による第２実施形態におけるポンプヘッドボディの斜視図である。
【図３０】図２９の切断線３０−３０における断面図である。
【図３１】本発明による第２実施形態におけるポンプヘッドボディの上面図である。
【図３２】本発明による第２実施形態におけるダイアフラム膜の斜視図である。
【図３３】図３２の切断線３３−３３における断面図である。
【図３４】本発明による第２実施形態におけるダイアフラム膜の底面図である。
【図３５】本発明による第２実施形態におけるポンプヘッドボディおよびダイアフラム膜の組み合わせの断面図である。
【図３６】本発明による第２実施形態における別のポンプヘッドボディの斜視図である。
【図３７】図３６の切断線３７−３７における断面図である。
【図３８】本発明による第２実施形態における別のポンプヘッドボディおよび分離したダイアフラム膜の断面図である。
【図３９】図３８のポンプヘッドボディおよびダイアフラム膜の組み合わせの断面図である。
【図４０】本発明による第３実施形態におけるポンプヘッドボディの斜視図である。
【図４１】図４０の切断線４１−４１における断面図である。
【図４２】本発明による第３実施形態におけるポンプヘッドボディの上面図である。
【図４３】本発明による第３実施形態におけるダイアフラム膜の斜視図である。
【図４４】図４３の切断線４４−４４における断面図である。
【図４５】本発明による第３実施形態におけるダイアフラム膜の底面図である。
【図４６】本発明による第３実施形態におけるポンプヘッドボディおよびダイアフラム膜の組み合わせの断面図である。
【図４７】本発明による第３実施形態における別のポンプヘッドボディの斜視図である。
【図４８】図４７の切断線４８−４８における断面図である。
【図４９】本発明による第３実施形態における別のポンプヘッドボディおよび分離したダイアフラム膜の断面図である。
【図５０】図４９のポンプヘッドボディおよびダイアフラム膜の組み合わせの断面図である。
【図５１】本発明による第４実施形態におけるポンプヘッドボディの斜視図である。
【図５２】図５１の切断線５２−５２における断面図である。
【図５３】本発明による第４実施形態におけるポンプヘッドボディの上面図である。
【図５４】本発明による第４実施形態におけるダイアフラム膜の斜視図である。
【図５５】図５４の切断線５５−５５における断面図である。
【図５６】本発明による第４実施形態におけるダイアフラム膜の底面図である。
【図５７】本発明による第４実施形態におけるポンプヘッドボディおよびダイアフラム膜の組み合わせの断面図である。
【図５８】本発明による第４実施形態における別のポンプヘッドボディの斜視図である。
【図５９】図５８の切断線５９−５９における断面図である。
【図６０】本発明による第４実施形態における別のポンプヘッドボディおよび分離したダイアフラム膜の断面図である。
【図６１】図６０のポンプヘッドボディおよびダイアフラム膜の組み合わせの断面図である。
【図６２】本発明による第５実施形態におけるポンプヘッドボディの斜視図である。
【図６３】図６２の切断線６３−６３における断面図である。
【図６４】本発明による第５実施形態におけるポンプヘッドボディの上面図である。
【図６５】本発明による第５実施形態におけるダイアフラム膜の斜視図である。
【図６６】図６５の切断線６６−６６における断面図である。
【図６７】本発明による第５実施形態におけるダイアフラム膜の底面図である。
【図６８】本発明による第５実施形態におけるポンプヘッドボディおよびダイアフラム膜の組み合わせの断面図である。
【図６９】本発明による第５実施形態における別のポンプヘッドボディの斜視図である。
【図７０】図６９の切断線７０−７０における断面図である。
【図７１】本発明による第５実施形態における別のポンプヘッドボディおよび分離したダイアフラム膜の断面図である。
【図７２】図７１のポンプヘッドボディおよびダイアフラム膜の組み合わせの断面図である。
【図７３】本発明による第６実施形態におけるポンプヘッドボディの斜視図である。
【図７４】図７３の切断線７４−７４における断面図である。
【図７５】本発明による第６実施形態におけるポンプヘッドボディの上面図である。
【図７６】本発明による第６実施形態におけるダイアフラム膜の斜視図である。
【図７７】図７６の切断線７７−７７における断面図である。
【図７８】本発明による第６実施形態におけるダイアフラム膜の底面図である。
【図７９】本発明による第６実施形態におけるポンプヘッドボディおよびダイアフラム膜の組み合わせの断面図である。
【図８０】本発明による第６実施形態における別のポンプヘッドボディの斜視図である。
【図８１】図８０の切断線８１−８１における断面図である。
【図８２】本発明による第６実施形態における別のポンプヘッドボディおよび分離したダイアフラム膜の断面図である。
【図８３】図８２のポンプヘッドボディおよびダイアフラム膜の組み合わせの断面図である。
【図８４】本発明による第７実施形態におけるポンプヘッドボディの上面図である。
【図８５】本発明による第７実施形態におけるダイアフラム膜の底面図である。
【図８６】本発明による第７実施形態におけるポンプヘッドボディおよびダイアフラム膜の組み合わせの断面図である。
【図８７】本発明による第７実施形態における別のポンプヘッドボディの斜視図である。
【図８８】図８７の切断線８８−８８における断面図である。
【図８９】本発明による第７実施形態における別のポンプヘッドボディおよび分離したダイアフラム膜の断面図である。
【図９０】図８９のポンプヘッドボディおよびダイアフラム膜の組み合わせの断面図である。
【発明を実施するための形態】
【００２６】
図１５〜２２は、圧送ダイアフラムポンプの振動低減構造の第１実施形態を例証する図である。
【００２７】
基本曲線溝部６５は、ポンプヘッドボディ６０の各操作孔６１の上部の周囲に円周状に設けられ、一方、基本曲線凸部７７は、ダイアフラム膜７０の底部の各同心環状位置決め凸部７６の周囲に、基本曲線溝部６５および基本曲線突部７７の位置がお互いに対応するように、円周状に設けられ、それによって、基本曲線突部７７が延びて、基本曲線溝部６５に嵌合することが可能となる。
【００２８】
ポンプヘッドボディ６０とダイアフラム膜７０が組み合わせられると（図２２および、その拡大図参照）、ダイアフラム膜７０底部の各基本曲線突部７７は、ポンプヘッドボディ６０の上部の対応する各基本曲線溝部６５に完全に挿入されるので、結果的に、本発明の運用により、ダイアフラム膜７０の基本曲線凸部７７から環状位置決め凸部７６の周囲までの短距離のモーメントアームＬ２が得られる（図２４参照）。
【００２９】
図２３，２４，１３，１４，および１４Ａは、本発明の圧送ダイアフラムポンプの振動低減構造の第１実施形態における実際的動作の結果を例証する図である。
【００３０】
従来の圧送ダイアフラムポンプの動作と比較しながら、従来の圧送ダイアフラムポンプのダイアフラム膜７０内の外部突起リム７１から環状位置決め突出ブロック７６の周辺までのモーメントアームＬ１の距離を図１３および２４に示し、第１実施形態の動作によって得られた、ダイアフラム膜７０の基本曲線凸部７７から環状位置決め凸ブロック７６の周囲までのモーメントアームＬ２の距離を図２４に示す。
【００３１】
前述の比較結果の図によると、モーメントアームＬ２の距離は、モーメントアームＬ１の距離よりも短い。
【００３２】
合成トルクは、同じ作用力Ｆをモーメントアームの距離に乗算することによって計算できるが、本発明による合成トルクは、モーメントアームＬ２の距離が、モーメントアームＬ１の距離よりも短く、従来の圧送ダイアフラムポンプの合成トルクよりも小さい。
【００３３】
本発明の合成トルクは小さいので、関連する振動強度は大幅に低減される。
【００３４】
本発明を例証する、実際的なパイロット試験によると、振動強度の結果は、従来の圧送ダイアフラムポンプの振動強度の１０分の１（１０％）であった。
【００３５】
本発明を、従来のクッション基部１００とゴム緩衝部材１０２（図１４および１４Ａ参照）を備えた逆浸透浄化ユニットのハウジングＣに取り付けると、従来の圧送ダイアフラムポンプが共振することにより発生する不快な騒音を完全に解消することができる。
【００３６】
図２５および２６に例証された第１実施形態では、ポンプヘッドボディ６０の各基本曲線溝部６５を、ポンプヘッドボディ６０を貫通して延びる、基本曲線スロットまたは孔６４に嵌合させることができる。
【００３７】
図２７および２８に例証する第１実施形態では、ポンプヘッドボディ６０の各基本曲線溝部６５（図１６および１７参照）を、それに対応するダイアフラム膜７０の各基本曲線凸部７７（図２０および２１参照）と交換し、嵌合状態に影響することなく、ポンプヘッドボディ６０の基本曲線凸部６５１（図２７参照）と、それに対応するダイアフラム膜７０の基本曲線溝部７７１（図２８参照）を提供できる。
【００３８】
ポンプヘッドボディ６０とダイアフラム膜７０が組み合わせられると（図２８参照）、ポンプヘッドボディ６０の上部の各基本曲線凸部６５１は、ダイアフラム膜７０の底部の対応する各基本曲線溝部７７１に完全に挿入され、本発明の運用によって、ダイアフラム膜７０の基本曲線凹部７７１から環状位置決め凸部７６の周囲までの短距離のモーメントアームＬ３（図２８および、その拡大図を参照）も得られるので、ポンプヘッドボディ６０とダイアフラム膜７０が振動の低減にも著しい効果を示す新たに考案された装置が提供される。
【００３９】
図２９〜３５は、本発明における圧送ダイアフラムポンプの振動低減構造による第２実施形態を例証する。
【００４０】
第２外部曲線溝部６６はさらに、ポンプヘッドボディ６０の既存の各基本曲線溝部６５の周囲に円周状に設けられ（図２９〜３１参照）、第２外部曲線凸部７８がさらに、ポンプヘッドボディ６０の各第２外部曲線溝部６６が嵌合する位置の対応する位置において、ダイアフラム膜７０の各既存の基本曲線凸部７７の周囲に円周状に設けられている（図３３および３４参照）。
【００４１】
ポンプヘッドボディ６０とダイアフラム膜７０が組み合わされると（図３５，およびその拡大図を参照）、ダイアフラム膜７０の底部の一対の基本曲線凸部７７と第２外部曲線凸部７８は、ポンプヘッドボディ６０の上部において、対応する一対の基本曲線溝部６５と第２外部曲線溝部６６に完全に挿入されて、結果的に、本発明の運用により、ダイアフラム膜７０の基本曲線凸部７７から環状位置決め凸部７６の周囲までの短距離のモーメントアームＬ２が得られる（図３５、およびその拡大図を参照）。
【００４２】
ポンプヘッドボディ６０とダイアフラム膜７０を備えた新たに考案された装置は、振動の低減に著しい効果を有するだけでなく、ポンプヘッドボディ６０およびダイアフラム膜７０の相対移動を防ぐことによって安定性高め、モーメントアームＬ２の距離を維持して、偏心円形部材５２に掛かる作用力Ｆに抵抗することができる。
【００４３】
図３６および３７に例証する第２実施形態では、ポンプヘッドボディ６０の一対の基本曲線溝部６５と第２外部曲線溝部６６が、一対の基本曲線スロットまたは孔６４と第２外部曲線スロットまたは孔６７と交換可能である。
【００４４】
図３８および３９に例証する第２実施形態では、ポンプヘッドボディ６０の、一対の基本曲線溝部６５と第２外部曲線溝部６６（図２９〜３１参照）、および、それに対応するダイアフラム膜７０の一対の基本曲線凸部７７と第２外部曲線凸部７８（図３３および３４参照）は、ポンプヘッドボディ６０の一対の基本曲線凸部６５１と第２外部曲線凸部６６１（図２８参照）、および、それに対応するダイアフラム膜７０（図３８参照）の一対の基本曲線溝部７７１と第２外部曲線溝部７８１と、嵌合状態に影響することなく交換可能である。
【００４５】
ポンプヘッドボディ６０とダイアフラム膜７０が組み合わせられると（図３９参照）、ポンプヘッドボディ６０の上部の一対の基本曲線凸部６５１と第２外部曲線凸部６６１は、対応するダイアフラム膜７０の底部の一対の基本曲線溝部７７１と第２外部曲線溝７８１に完全に挿入され、結果的に、本発明の運用によって、ダイアフラム膜７０の基本曲線溝部７７１から環状位置決め凸部７６の周囲までの短距離のモーメントアームＬ３（図３９および、その拡大図を参照）も得られる。
【００４６】
ポンプヘッドボディ６０とダイアフラム膜７０を備えた新たに考案された装置は、振動の低減に著しい効果を有するだけでなく、相対移動を防ぐことと、モーメントアームＬ２の距離を維持することによって、安定性を高める。
【００４７】
図４０〜４６は、本発明における圧送ダイアフラムポンプの振動低減構造による第３実施形態を例証する。
【００４８】
基本凹リング６０１がさらに、ポンプヘッドボディ６０の既存の各操作孔６１の周囲に円周状に設けられ（図４０〜４２参照）、基本曲線凸リング７０１がさらに、ポンプヘッドボディ６０の各基本凹部リング６０１が嵌合する位置の対応する位置において、ダイアフラム膜７０の既存の各環状位置決め凸部７６の周囲に円周状に設けられている（図４４および４５参照）。
【００４９】
ポンプヘッドボディ６０とダイアフラム膜７０が組み合わせられると（図４６参照）、ダイアフラム膜７０底部の各基本凸リング７０１は、ポンプヘッドボディ６０の上部の対応する各基本凹リング６０１に完全に挿入されるので、結果的に、本発明の運用により、ダイアフラム膜７０の基本凸リング７０１から環状位置決め凸部７６の周囲までの短距離のモーメントアームＬ２が得られる（図４６参照）。
【００５０】
ポンプヘッドボディ６０とダイアフラム膜７０を備えた新たに考案された装置は、振動の低減に著しい効果を有するだけでなく、相対移動を防ぐことと、モーメントアームＬ２の距離を維持して、偏心円形部材５２に掛かる作用力Ｆに抵抗することによって、安定性を高める。
【００５１】
図４７および４８に例証する第３実施形態では、ポンプヘッドボディ６０の各基本凹リング６０１を基本貫通孔６００に嵌合させることができる。
【００５２】
図４９および５０に例証する第３実施形態では、ポンプヘッドボディ６０の各基本凹リング６０１（図４０〜４２参照）、とそれに対応するダイアフラム膜７０の各基本凸リング７０１（図４４および４５参照）を、嵌合状態に影響することなく、ポンプヘッドボディ６０の基本凸リング６０１（図２７参照）と、それに対応するダイアフラム膜７０の基本凹リング７１０（図５０）に交換できる。
【００５３】
ポンプヘッドボディ６０とダイアフラム膜７０が組み合わせられると（図５０参照）、ポンプヘッドボディ６０の上部の各基本凸リング６１０は、ダイアフラム膜７０の底部の対応する各基本凹リング７１０に完全に挿入され、結果的に、本発明の運用により、ダイアフラム膜７０の基本凹リング７１０から環状位置決め凸部７６の周囲までの短距離のモーメントアームＬ３も得られるので（図５０参照）、ポンプヘッドボディ６０とダイアフラム膜７０が振動の低減にも著しい効果を示す新たに考案された装置が提供される。
【００５４】
図５１〜５７は、本発明における圧送ダイアフラムポンプの振動低減構造による第４実施形態を例証する。
【００５５】
一対の曲線凹セグメント６０２がさらに、ポンプヘッドボディ６０の既存の各操作孔６１の周囲に円周状に設けられ（図５１〜５３参照）、一対の曲線凸セグメント７０２がさらに、ポンプヘッドボディ６０の各曲線凹セグメント６０２が嵌合する位置の対応する位置において、ダイアフラム膜７０の既存の各環状位置決め凸部７６の周囲に円周状に設けられている（図５５および５６参照）。
【００５６】
ポンプヘッドボディ６０とダイアフラム膜７０が組み合わせられると（図５７参照）、ダイアフラム膜７０底部の各一対の曲線凸セグメント７０２は、ポンプヘッドボディ６０の上部の対応する各一対の曲線凹セグメント６０２に完全に挿入されるので、結果的に、本発明の運用により、ダイアフラム膜７０の曲線凹セグメント７０２から環状位置決め凸部７６の周囲までの短距離のモーメントアームＬ２が得られる（図５７参照）。
【００５７】
ポンプヘッドボディ６０とダイアフラム膜７０を備えた新たに考案された装置は、振動の低減に著しい効果を有するだけでなく、相対移動を防ぐことと、モーメントアームＬ２の距離を維持することによって、安定性を高める。
【００５８】
図５８および５９に例証された第４実施形態では、ポンプヘッドボディ６０の各一対の曲線凹セグメント６０２を、一対の曲線有孔セグメント６１１と交換できる。
【００５９】
図６０および６１に例証する第４実施形態では、ポンプヘッドボディ６０の各一対の曲線凹セグメント６０２（図５１〜５３参照）、とそれに対応するダイアフラム膜７０の各一対の曲線凸セグメント７０２（図５５および５６参照）を、嵌合状態に影響することなく、ポンプヘッドボディ６０の一対の曲線凸セグメント６２０（図６０参照）と、それに対応するダイアフラム膜７０の一対の曲線凹セグメント７２０（図６１参照）と交換できる。
【００６０】
ポンプヘッドボディ６０とダイアフラム膜７０が組み合わせられると（図６１参照）、ポンプヘッドボディ６０の上部の各一対の曲線凸セグメント６２０は、ダイアフラム膜７０の底部の対応する各一対の曲線凹セグメント７２０に完全に挿入され、結果的に、本発明の運用により、ダイアフラム膜７０の曲線凹部セグメント７２０から環状位置決め凸部７６の周囲までの短距離のモーメントアームＬ３も得られるので（図６１参照）、ポンプヘッドボディ６０とダイアフラム膜７０が振動の低減にも著しい効果を示す新たに考案された装置が提供される。
【００６１】
図６２〜６８は、本発明における圧送ダイアフラムポンプの振動低減構造による第５実施形態を例証する。
【００６２】
一群の円形凹部６０３が、さらに、ポンプヘッドボディ６０の既存の各操作孔６１の周囲に円周状に設けられ（図６２〜６４参照）、円形凸部７０３の群がさらに、ポンプヘッドボディ６０の各円形凹部６０３の群が嵌合する位置の対応する位置において、ダイアフラム膜７０の既存の各環状位置決め凸部７６の周囲に円周状に設けられている（図６６および６７参照）。
【００６３】
ポンプヘッドボディ６０とダイアフラム膜７０が組み合わせられると（図６８参照）、ダイアフラム膜７０底部の円形凸部７０３の各群は、ポンプヘッドボディ６０の上部の対応する円形凹部６０３の群に完全に挿入されるので、結果的に、本発明の運用により、ダイアフラム膜７０の円形凸部７０３から環状位置決め凸部７６の周囲までの短距離のモーメントアームＬ２が得られる（図６８参照）。
【００６４】
ポンプヘッドボディ６０とダイアフラム膜７０を備えた新たに考案された装置は、振動の低減に著しい効果を有するだけでなく、相対移動を防ぐことと、モーメントアームＬ２の距離を維持することによって、安定性を高める。
【００６５】
図６９および７０に例証された第５実施形態では、ポンプヘッドボディ６０の円形凹部６０３の各群を、円形貫通孔６１２の群と交換することができる。
【００６６】
図７１および７２に例証する第５実施形態では、ポンプヘッドボディ６０の円形凹部６０３の各群（図６２〜６４参照）、とそれに対応するダイアフラム膜７０の円形凸部７０３の各群（図６６および６７参照）を、嵌合状態に影響することなく、ポンプヘッドボディ６０の円形凸部６３０の群（図７１参照）と、それに対応するダイアフラム膜７０の円形凹部７３０の群と交換できる。
【００６７】
ポンプヘッドボディ６０とダイアフラム膜７０が組み合わせられると（図７２参照）、ポンプヘッドボディ６０の上部の円形凸部６３０の各群は、ダイアフラム膜７０の底部の対応する円形凹部７３０の各群に完全に挿入され、結果的に、本発明の運用により、ダイアフラム膜７０の円形凹部７３０から環状位置決め凸部７６の周囲までの短距離のモーメントアームＬ３も得られるので（図７２参照）、ポンプヘッドボディ６０とダイアフラム膜７０が振動の低減にも著しい効果を示す、新たに考案された装置が提供される。
【００６８】
図７３〜７９は、本発明における圧送ダイアフラムポンプの振動低減構造による第６実施形態を例証する。
【００６９】
四角形凹部６０４の群がさらに、ポンプヘッドボディ６０の既存の各操作孔６１の周囲に円周状に設けられ（図７３〜７５参照）、四角形凸部７０４の群がさらに、ポンプヘッドボディ６０の各四角形凹部６０４の群が嵌合する位置の対応する位置において、ダイアフラム膜７０の既存の各環状位置決め凸部７６の周囲に円周状に設けられている（図７７および７８参照）。
【００７０】
ポンプヘッドボディ６０とダイアフラム膜７０が組み合わせられると（図７９、およびその拡大図を参照）、ダイアフラム膜７０底部の四角形凸部７０４の各群は、ポンプヘッドボディ６０の上部の対応する四角形凹部６０４の各群に完全に挿入されるので、  結果的に、本発明の運用により、ダイアフラム膜７０の四角形凸部７０４から環状位置決め凸部７６の周囲までの短距離のモーメントアームＬ２が得られる（図７９、およびその拡大図を参照）。
【００７１】
ポンプヘッドボディ６０とダイアフラム膜７０を備えた新たに考案された装置は、振動の低減に著しい効果を有するだけでなく、相対移動を防ぐことと、モーメントアームＬ２の距離を維持することによって、安定性を高める。
【００７２】
図８０および８１に例証された第６実施形態では、ポンプヘッドボディ６０の四角形凹部６０４の各群を、四角形貫通孔６１３の群と交換することができる。
【００７３】
図８２および８３に例証する第６実施形態では、ポンプヘッドボディ６０の四角形凹部６０４の各群（図７３〜７５参照）と、それに対応するダイアフラム膜７０の四角形凸部７０４の各群（図７７および７８参照）を、嵌合状態に影響することなく、ポンプヘッドボディ６０の四角形凸部６４０の群（図８２参照）と、それに対応するダイアフラム膜７０の四角形凹部７４０の群と交換できる。
【００７４】
ポンプヘッドボディ６０とダイアフラム膜７０が組み合わせられると（図８３参照）、ポンプヘッドボディ６０の上部の四角形凸部６４０の各群は、ダイアフラム膜７０の底部の対応する四角形凹部７４０の各群に完全に挿入され、結果的に、本発明の運用により、ダイアフラム膜７０の四角形凹部７４０から環状位置決め凸部７６の周囲までの短距離のモーメントアームＬ３が得られ（図８３、およびその拡大図を参照）、ポンプヘッドボディ６０とダイアフラム膜７０が振動の低減にも著しい効果を示す、新たに考案された装置が提供される。
【００７５】
図８４〜８６は、本発明における圧送ダイアフラムポンプの振動低減構造による第７実施形態を例証する。
【００７６】
一対の同心第１内部凹リング６０５、および第２外部凹リング６０６がさらに、ポンプヘッドボディ６０の既存の各操作孔６１の周囲に円周状に設けられ（図８４参照）、一対の同心第１内部凸リング７０５、および第２外部凸リング７０６がさらに、ポンプヘッドボディ６０の各一対の第１内部凹リング６０５と第２外部凹リング６０６が嵌合する位置の対応する位置において、ダイアフラム膜７０の既存の各環状位置決め凸部７６の周囲に円周状に設けられている（図８５参照）。
【００７７】
ポンプヘッドボディ６０とダイアフラム膜７０が組み合わされると（図８６参照）、ダイアフラム膜７０の底部の各一対の第１内部凸リング７０５と第２外部凸リング７０６が、ポンプヘッドボディ６０の上部の対応する各一対の第１内部凹リング６０５と第２外部凹リング６０６に完全に挿入されて、結果的に、本発明の運用により、ダイアフラム膜７０の第１内部凸リング７０５から環状位置決め凸部７６の周囲までの短距離のモーメントアームＬ２が得られる（図８６参照）。
【００７８】
ポンプヘッドボディ６０とダイアフラム膜７０を備えた新たに考案された装置は、振動の低減に著しい効果を有するだけでなく、相対移動を防ぐことと、モーメントアームＬ２の距離を維持して、偏心円形部材５２に掛かる作用力Ｆに抵抗することによって、安定性を高める。
【００７９】
図８７および８８に例証する第７実施形態では、ポンプヘッドボディ６０の各一対の同心第１内部凹リング６０５と第２外部凹リング６０６は、一対の同心第１内部有孔リング６１４と第２外部有孔リング６１５と交換可能である。
【００８０】
図８９および９０に例証する第７実施形態では、ポンプヘッドボディ６０の、各一対の同心第１内部凹リング６０５、および第２外部凹リング６０６（図８４参照）、並びに、それに対応するダイアフラム膜７０の各一対の同心第１内部凸リング７０５、および第２外部凸リング７０６（図７７および７８参照）を、嵌合状態に影響することなく、ポンプヘッドボディ６０の一対の同心第１内部凸リング６５０と第２外部凸リング６６０（図８９参照）、並びに、それに対応するダイアフラム膜７０の一対の同心第１内部凹リング７５０と第２外部凹リング７６０と、交換可能である（図８９参照）。
【００８１】
ポンプヘッドボディ６０とダイアフラム膜７０が組み合わされると（図９０参照）、ポンプヘッドボディ６０の上部の各一対の第１内部凸リング６５０と第２外部凸リング６６０が、ダイアフラム膜７０の底部において、対応する各一対の第１内部凹リング７５０と第２外部凹リング７６０に完全に挿入されて、結果的に、本発明の運用により、ダイアフラム膜７０の第１内部凹リング７５０から環状位置決め凸部７６の周囲までの短距離のモーメントアームＬ３も得られる（図９０参照）。
【００８２】
ポンプヘッドボディ６０とダイアフラム膜７０を備えた新たに考案された装置は、振動の低減に著しい効果を有するだけでなく、相対移動を防ぐことと、モーメントアームＬ３の距離を維持することによって、安定性を高める。
【００８３】
前述の開示内容に基づいて、本発明は実質的に、簡単であり新たに考案されたポンプヘッドボディ６０とダイアフラム膜７０によって、全体的なコストを増やすことなく、圧送ダイアフラムポンプの振動低減効果を達成する。本発明は、従来の圧送ダイアフラムポンプに生じるノイズや共振の問題のすべてを確実に解消するので、本発明は価値の高い産業適用可能性を有している。
【図１】
0006011891.tif 000002
【図２】
0006011891.tif 000003
【図３】
0006011891.tif 000004
【図４】
0006011891.tif 000005
【図５】
0006011891.tif 000006
【図６】
0006011891.tif 000007
【図７】
0006011891.tif 000008
【図８】
0006011891.tif 000009
【図９】
0006011891.tif 000010
【図１０】
0006011891.tif 000011
【図１１】
0006011891.tif 000012
【図１２】
0006011891.tif 000013
【図１３】
0006011891.tif 000014
【図１４】
0006011891.tif 000015
【図１４Ａ】
0006011891.tif 000016
【図１５】
0006011891.tif 000017
【図１６】
0006011891.tif 000018
【図１７】
0006011891.tif 000019
【図１８】
0006011891.tif 000020
【図１９】
0006011891.tif 000021
【図２０】
0006011891.tif 000022
【図２１】
0006011891.tif 000023
【図２２】
0006011891.tif 000024
【図２３】
0006011891.tif 000025
【図２４】
0006011891.tif 000026
【図２５】
0006011891.tif 000027
【図２６】
0006011891.tif 000028
【図２７】
0006011891.tif 000029
【図２８】
0006011891.tif 000030
【図２９】
0006011891.tif 000031
【図３０】
0006011891.tif 000032
【図３１】
0006011891.tif 000033
【図３２】
0006011891.tif 000034
【図３３】
0006011891.tif 000035
【図３４】
0006011891.tif 000036
【図３５】
0006011891.tif 000037
【図３６】
0006011891.tif 000038
【図３７】
0006011891.tif 000039
【図３８】
0006011891.tif 000040
【図３９】
0006011891.tif 000041
【図４０】
0006011891.tif 000042
【図４１】
0006011891.tif 000043
【図４２】
0006011891.tif 000044
【図４３】
0006011891.tif 000045
【図４４】
0006011891.tif 000046
【図４５】
0006011891.tif 000047
【図４６】
0006011891.tif 000048
【図４７】
0006011891.tif 000049
【図４８】
0006011891.tif 000050
【図４９】
0006011891.tif 000051
【図５０】
0006011891.tif 000052
【図５１】
0006011891.tif 000053
【図５２】
0006011891.tif 000054
【図５３】
0006011891.tif 000055
【図５４】
0006011891.tif 000056
【図５５】
0006011891.tif 000057
【図５６】
0006011891.tif 000058
【図５７】
0006011891.tif 000059
【図５８】
0006011891.tif 000060
【図５９】
0006011891.tif 000061
【図６０】
0006011891.tif 000062
【図６１】
0006011891.tif 000063
【図６２】
0006011891.tif 000064
【図６３】
0006011891.tif 000065
【図６４】
0006011891.tif 000066
【図６５】
0006011891.tif 000067
【図６６】
0006011891.tif 000068
【図６７】
0006011891.tif 000069
【図６８】
0006011891.tif 000070
【図６９】
0006011891.tif 000071
【図７０】
0006011891.tif 000072
【図７１】
0006011891.tif 000073
【図７２】
0006011891.tif 000074
【図７３】
0006011891.tif 000075
【図７４】
0006011891.tif 000076
【図７５】
0006011891.tif 000077
【図７６】
0006011891.tif 000078
【図７７】
0006011891.tif 000079
【図７８】
0006011891.tif 000080
【図７９】
0006011891.tif 000081
【図８０】
0006011891.tif 000082
【図８１】
0006011891.tif 000083
【図８２】
0006011891.tif 000084
【図８３】
0006011891.tif 000085
【図８４】
0006011891.tif 000086
【図８５】
0006011891.tif 000087
【図８６】
0006011891.tif 000088
【図８７】
0006011891.tif 000089
【図８８】
0006011891.tif 000090
【図８９】
0006011891.tif 000091
【図９０】
0006011891.tif 000092